(57)【要約】【課題】  大会議室などを可動間仕切り家具で複数の区画に分割して使用する際に、それぞれの区画空間において、独立して照明や空調設備を操作できるようにする。【解決手段】  間仕切り壁１３の設置状態を検知し、区画空間Ａの分割情報を検出する間仕切り位置検出センサｓと、間仕切り壁１３による区画により構成される最小区画空間ごとに設置された設備・機器を操作可能な操作盤と、間仕切り位置検出センサｓから送出された検出信号をもとに区画分割パターンを認識し、区画分割パターンで区画された各区画空間に設けられた設備・機器の操作盤がその区画空間のみで操作可能となるように規制可能な操作制御ユニット１６と、操作制御ユニット１０からの問い合わせに対して区画分割パターンに対応した設備・機器を抽出し、設備・機器に対応した制御規制情報を記憶した記憶部１８とを備えた。【選択図】図１
2010251983.tif 000002
【特許請求の範囲】
【請求項１】
間仕切り壁の設置状態を検知し、区画空間の分割情報を検出する間仕切り位置検出手段と、
前記間仕切り壁による区画により構成される最小区画空間ごとに設置された設備・機器を操作可能な操作手段と、
前記間仕切り位置検出手段から送出された検出信号をもとに区画分割パターンを認識し、該区画分割パターンで区画された各区画空間に設けられた前記設備・機器の操作手段が当該区画空間のみで操作可能となるように規制可能な操作制御ユニットと、該操作制御ユニットからの問い合わせに対して前記区画分割パターンに対応した設備・機器を抽出し、該設備・機器に対応した制御規制情報を記憶した記憶部とを有する設備制御手段とを
備えたことを特徴とする区画空間の設備制御システム。
【請求項２】
前記設備・機器は、少なくとも照明設備、空調設備、音響設備、映像設備のいずれかを含むことを特徴とする請求項１に記載の区画空間の設備制御システム。
【請求項３】
前記間仕切り位置検出手段は、前記間仕切り壁の上端と天井面との間、または下端と床面との間の所定位置に、一対をなすように配設された位置検出手段であることを特徴とする請求項１に記載の区画空間の設備制御システム。
【請求項４】
前記間仕切り位置検出手段は、区画に用いられるすべての間仕切り壁で区画が完了した検出信号が確認された後に、区画分割パターンが認識されるようにしたことを特徴とする請求項３に記載の区画空間の設備制御システム。
【請求項５】
前記操作手段に代えて、前記区画空間内で得られたセンサ入力情報が用いられ、前記区画分割パターンに対応した当該区画空間内の設備・機器が、前記センサ入力情報をパラメータとした所定関数に基づいて運転されることを特徴とする請求項１に記載の区画空間の設備制御システム。
【請求項６】
前記センサ入力情報に加え、前記区画空間に固有の固定情報が用いられ、前記区画分割パターンに対応した当該区画空間内の設備・機器が、前記センサ入力情報と前記固定情報とをパラメータとした所定関数に基づいて運転されることを特徴とする請求項５に記載の区画空間の設備制御システム。
【発明の詳細な説明】
【技術分野】
【０００１】
本発明は区画空間の設備制御システムに係り、仕切り壁であらかじめ固定的に区画された大会議室や大宴会場などを、パーティション等の可動間仕切り家具により、複数の区画に分割して使用する際に、それぞれの区画空間において、独立して照明や空調設備を操作できるようにした区画空間の設備制御システムに関する。
【背景技術】
【０００２】
従来、事業所ビルの会議室フロアやホテル等の宴会場フロアでは、あらかじめ仕切り壁で固定的に区画された大会議室や大宴会場を設計しておき、それらをパーティション等の可動間仕切り家具によって、さらに小会議室、中会議室、小宴会場、中宴会場のように、収容人数等に応じて区画して使用することが多い。また、一般家庭においても、ワンルームタイプの広い居室をパーティション等で仕切って利用することもある。このような目的に応じて適宜区画された空間（以下、本明細書ではこの可動間仕切り家具等で仕切られたスペースを区画空間と呼ぶ。）が設定されるフロアの照明設備や空調設備に関しては、それぞれ設定された区画空間において、独立して照明や空調設備を操作できるように、当初の設備制御システムを設計しておくことが必要である。
【０００３】
この種の設備制御システムの一例として、照明制御システムが開示されている（特許文献１中の先行技術参照）。このシステムでは、従来、制御端末器、照明装置、操作端末器を備え、各区画された範囲での制御の割り付け関係を、中央制御装置の記憶手段の設定内容記憶部にあらかじめ設定しておき、各区画空間における照明制御を行うようになっている。このシステムでは、各区画空間に設備された照明の点灯、消灯を行う各スイッチの割り付けを操作端末器でアドレス付けし、それぞれの区画に対応したスイッチの割り付けアドレスを前記記憶手段の設定内容記憶部から呼び出し、区画に応じたスイッチの動作を実現していた。
【０００４】
その際の問題点として、すべての区画予定の空間にスイッチや操作コントローラを設置する必要がある。また、想定しているスイッチ類は後操作優先機能としているため、使用している空間以外の照明を消灯または点灯操作してしまうおそれがある。さらに制御装置の記憶手段にシーケンス制御回路を用いると、区画の想定を確定しないと回路設計が進められないという問題もあった。そこで、特許文献１の発明では、従来の操作端末器に対して照明用途選択手段を設け、この照明用途選択手段に複数の照明用途をあらかじめ設定しておき、操作端末器と制御端末器とにアドレスを付与する構成として、問題点の解決を図っている。
【先行技術文献】
【特許文献】
【０００５】
【特許文献１】特開平１１−３３９９７１号公報
【発明の概要】
【発明が解決しようとする課題】
【０００６】
ところで、特許文献１の照明制御システムは、大会議場や、大宴会場などの当初の広い空間を、利用者が可動間仕切り家具を移動させて所望のレイアウトの区画空間に仕切る。その後（レイアウト変更後）に、照明、操作スイッチ等を制御する制御システムにアクセスして変更、設定を独立して行うようになっている。したがって、実際にレイアウト変更された区画空間と、利用者あるいは設備管理者が行う、区画空間の制御端末器（スイッチ、コントローラ類）の整合設定と食い違うおそれがある。そこで、本発明の目的は上述した従来の技術が有する問題点を解消し、可動間仕切りで仕切られた区画空間を自動的に認識してその区画空間内に配備された照明や、各種設備の操作設定を確実に行えるようにした区画空間の設備制御システムを提供することにある。
【課題を解決するための手段】
【０００７】
上記目的を達成するために、本発明は間仕切り壁の設置状態を検知し、区画空間の分割情報を検出する間仕切り位置検出手段と、前記間仕切り壁による区画により構成される最小区画空間ごとに設置された設備・機器を操作可能な操作手段と、前記間仕切り位置検出手段から送出された検出信号をもとに区画分割パターンを認識し、該区画分割パターンで区画された各区画空間に設けられた前記設備・機器の操作手段が当該区画空間のみで操作可能となるように規制可能な操作制御ユニットと、該操作制御ユニットからの問い合わせに対して前記区画分割パターンに対応した設備・機器を抽出し、該設備・機器に対応した制御規制情報を記憶した記憶部とを有する設備制御手段とを備えたことを特徴とする。
【０００８】
このとき、前記設備・機器は、少なくとも照明設備、空調設備、音響設備のいずれかを含むようにすることが好ましい。
【０００９】
また、前記間仕切り位置検出手段は、前記間仕切り壁の上端と天井面との間、または下端と床面との間の所定位置に、一対をなすように配設された位置検出手段とすることが好ましい。
【００１０】
さらに、前記間仕切り位置検出手段は、区画に用いられるすべての間仕切り壁で区画が完了した検出信号が確認された後に、区画分割パターンが認識されるようにすることが好ましい。
【００１１】
前記操作手段に代えて、前記区画空間内で得られたセンサ入力情報が用いられ、前記区画分割パターンに対応した当該区画空間内の設備・機器が、前記センサ入力情報をパラメータとした所定関数に基づいて運転されるようにすることが好ましい。
【００１２】
前記センサ入力情報に加え、前記区画空間に固有の固定情報が用いられ、前記区画分割パターンに対応した当該区画空間内の設備・機器が、前記センサ入力情報と前記固定情報とをパラメータとした所定関数に基づいて運転されるようにすることが好ましい。
【発明の効果】
【００１３】
以上に述べたように、本発明によれば、可動間仕切り壁等により区画された各区画空間において、その区画空間に合わせて、その区画空間内にあるスイッチ、リモコン等の操作機器のみにより、照明設備、各種機器を独立して操作することができる。このため、他の区画空間の照明を消灯したりという誤操作を防止できるとともに、各設備、機器の操作を容易にすることができる。また、使用している区画空間以外の設備・機器に対して、分割区分に従って小さい空間単位で運転開始、停止を行えるため、省エネルギー効果が期待できる。
【図面の簡単な説明】
【００１４】
【図１】本発明の区画空間の設備制御システムの一実施例の概略構成図。
【図２】図１に示した区画空間の照明、設備・機器配置を模式的に示した設備配置図。
【図３】区画空間の分割パターン例を示した模式図。
【図４】可動間仕切り壁に設けられた位置検出センサの動作例を示した説明図。
【図５】図４に示した位置検出センサの構成、動作例を示した拡大説明図。
【図６】本発明の区画空間の設備制御システムの動作フローの一実施例を示した動作フローチャート。
【発明を実施するための形態】
【００１５】
以下、本発明の区画空間の設備制御システムの実施するための形態として、以下の実施例について添付図面を参照して説明する。
【実施例】
【００１６】
図１は、本発明の区画空間の設備制御システムの一実施例の概略構成図である。図２は、区画空間内の各設備・機器に識別のための符号を記した設備配置図である。図１、図２に示したように、各図には一実施例として大会議室１に対して長手方向の固定間仕切り壁１１,１２の間に可動間仕切り壁１３を３カ所に設置可能な構成からなり、各可動間仕切り壁１３によって区画された空間での照明操作、各種設備の操作の設定が可能となる。図１では、区画符号として、可動間仕切り壁１３で区画空間Ａ１〜Ａ４の最小区画単位に仕切られる位置に符号Ｐ１〜Ｐ４を付し、両側固定間仕切り壁１１，１２の位置に符号Ｐ０，Ｐ４を付している。また、可動間仕切り壁１３で仕切られる最小区画Ａ１〜Ａ４ごとに配置された設備・機器の操作スイッチｓｗｉ（ｉ＝１〜４）が各区画空間内の壁面にリモートコントロール可能な操作パネルとして設置されている。この操作パネルには各機器に対応したＯＮ/ＯＦＦ、連続可変調整機能可能な操作スイッチ等がアドレス付けして配列されている。
【００１７】
なお、図１では可動間仕切り壁のうち、区画位置Ｐ１のみが解放され、図２ではすべての可動間仕切り壁１３が解放された状態が示されている。各可動間仕切り壁１３は、間仕切りに使用されないときは区画空間外に設けられた収納スペース内に収納され、区画空間全範囲が十分に利用できるようになっている。
【００１８】
以下、各区画空間Ａ１〜Ａ４内に設けられた各設備について説明する。各区画空間内に符号Ｌ１〜Ｌ４で示したブロックは、区画空間内に設置された各種の照明設備一式を示している。これら照明設備としては、たとえば天井面に配列された複数個の蛍光灯、ＬＥＤ照明、または所定数のダウンライト等、その目的に応じた各種の照明器具が相当する。上記操作スイッチｓｗ１〜ｓｗ４では、蛍光灯のＯＮ/ＯＦＦ、ダウンライトのＯＮ/ＯＦＦが可能となっているが、オプション操作として操作パネル上から蛍光灯の半数点灯、間引き点灯、ダウンライトの調光などの設定も行うことができる。各蛍光灯の点灯、消灯は操作スイッチｓｗ１〜ｓｗ４に付された蛍光灯のアドレスに対応したスイッチ操作で行う。ダウンライトの調光は段階あるいは連続可変可能な可変スイッチ（図示せず）の操作により行われる。各操作スイッチの操作情報信号は双方向通信可能な多重伝送２線により、設備制御装置（後述する。）の操作制御ユニット（ＣＰＵ）に伝えられる。なお、操作情報信号の送受信には、無線ＬＡＮ等の屋内無線通信を利用することもできる。
【００１９】
その他の設備・機器としては、各区画空間Ａ１〜Ａ４に設置された空調吹出口（ＡＣ１〜ＡＣ４）、その他図示しない、各所のスピーカー装置、吊り下げ式映写スクリーン、プロジェクター等の映像機器からなるＡＶシステムの他、窓際のカーテン、ブラインド等の昇降（開閉）を電動にした設備が設置可能であり、それぞれの運転操作は操作パネルにより可能になっている。
【００２０】
さらに図１に示したように、上述した照明設備の他、各種設備の運転制御信号線は設備管理装置１０に接続され、この設備制御装置１０において、各設備・機器の運転制御が図られている。この設備制御装置１０は、各区画空間から導出された多数の制御信号線の入出力端子盤１５と、この入出力端子盤１５からの入力信号の情報を処理し、所定の出力信号を送出する操作制御ユニット１６（ＣＰＵ）と、この操作制御ユニット１６の入出力インターフェース１７と、データサーバ１８とから構成されている。入出力インターフェース１７には、キーボード等の操作盤、操作状況を表示するモニター、またタッチパネル機能を備えたモニター等の入出力装置がある。データサーバ１８は、記憶部として機能し、構築されたデータベース情報と各種付帯情報を記憶するハードウエアである。
【００２１】
操作制御ユニット１６は、設備制御装置１０の演算部として機能し、あらかじめプログラミングされた演算アルゴリズムに基づき、搭載プロセッサ（ＣＰＵ）により、外部制御信号の入力に対して付属するデータサーバ１８内のデータベース情報に基づき各種処理を実行し、所定の制御出力信号を送出することができる。
【００２２】
入出力インターフェース１７は、利用者が各区画空間Ａ１〜Ａ４を利用する際の、操作制御ユニット１６の初期設定、中途での設定変更、メンテナンス設定を設備・機器管理者が行うことを主目的としているが、利用者自身もアクセスが許可された項目、範囲内で対応設備・機器の設定操作が可能である。
【００２３】
データサーバ１８内には構築されたデータベースとして、操作制御ユニット１６の演算プロセスで参照する、各種のデータ対応表と、区画空間の分割パターン条件に対応した各種対応表データが記憶されている。各対応表データは、対応表間のデータフィールドを参照するキーとしての、区画空間を示すＡｉ（ｉ＝１〜４），区画分割パターン（０〜７），操作リモートコントローラ（以下、操作リモコンと略記する。また、本明細書中、操作スイッチと記されているものも、操作リモコンと同等の機能を果たす。）ｓｗｉ（ｉ＝１〜４）に対応する各設備の存在データ一覧から構成されている。それぞれ対応する間仕切り位置におけるフラッグ一覧を以下の表１〜表３に示す。
【００２４】
2010251983.tif 000003
【００２５】
ここで、区画空間の分割パターンについて、図３と表３とを参照して説明する。たとえば初期値として、区画されていない大会議場等を想定した場合、間仕切りがない場合（パターン０）が最大限の収容空間であり、その収容空間を可動間仕切り位置Ｐ１〜Ｐ３で仕切ることにより、パターン１〜パターン７までの区画空間に分割できる。表３は、各間仕切り位置で仕切られた状態をフラッグ１,０で識別して示した区画分割パターンの判定表である。この間仕切り位置の判定に際しては、後述するように、可動間仕切り壁１３に組み込まれたセンサｓij（本実施例では、i＝１〜３，j＝１〜３）が間仕切り時の所定位置にあることを検知する。たとえば、間仕切り位置Ｐ１において、Ｐ１のフラッグが１となるのは、３個の位置センサ（s11，s12,s13、その構成については後述する。）がすべて間仕切り位置に位置することを検知した状態、すなわち(s11:ON*s12:ON*s13:ON)を検知したときである。このときＰ２，Ｐ３位置においては、各位置センサは間仕切り壁１３の存在を検知しないため、フラッグは０のままである。
【００２６】
これら区画空間の分割パターンは、図３からわかるように、分割パターン０の間仕切りされていない１〜４室の室数からなる区画空間に分類されている。このときこの区画分割パターンに応じて、設備制御装置１０によって、各区画空間ごとに操作スイッチの制御可否の設定がなされる。
【００２７】
以下の表４は各区画分割パターンのうち１〜４区画の区画空間数において、一種類ずつのパターン（１区画（分割パターン０）,２区画（分割パターン１），３区画（分割パターン５）,４区画（分割パターン７）における，操作リモコン（制御入力部）と設備・機器（制御出力部）との間の制御可否についての関連付け対応表である。同表では、対応する各区画内での制御は、太枠内で区切られた単位ごとに制御されるように設定されている。この太枠内の区画空間内では、対応する操作リモコンは後操作優先に設定され、この区画空間内であれば、いずれの操作リモコンによっても、区画空間内の照明、設備・機器の制御を行える。
【００２８】
2010251983.tif 000004
【００２９】
なお、操作リモコンは、区画空間内に操作パネルとして配備され、利用者が手動操作することを前提としているが、各種検出センサの信号による設定インターフェースとして利用することもできる。すなわち、操作リモコンに代えて、制御入力情報を各種センサとし、そのセンサによる検出信号に応じた所定の出力状態を定義することができる。たとえば設備・機器の動作に関しての制御パラメータをあらかじめ定義することも可能である（表５参照）。具体的には、設定インターフェースとして人感センサ、照度センサを利用することで、照明設備に、利用者入室時点灯、退出後所定時間経過後の消灯、外部光との関係による調光機能を付与することができる。
【００３０】
2010251983.tif 000005
【００３１】
また、センサによる入力情報は可変情報として検出することが可能であるが、上述した区画空間の分割パターンによって異なる各区画空間の固有情報（床面積、窓の数、日照条件、形状など）を固定のパラメータ情報ｃとして定義することで、表６に示したような対応表を適用することもできる。この対応表では、空調設備など区画空間の容積などに依存する制御内容をあらかじめ反映させておくことができるので、区画された空間内での効率的な運転制御が可能となる。
【００３２】
2010251983.tif 000006
【００３３】
ここで、上述した可動間仕切り壁１３に組み込まれる位置センサの動作状態および位置検出センサの構成例について、図４，図５を参照して説明する。図４は、公知の可動間仕切り壁１３の一例を示した説明図である。同図に示した可動間仕切り壁１３は、天井面１４の間仕切りライン（図示せず）上に敷設された吊りレールに、移動ローラ部が係止して間仕切り壁１３が天井面に吊持され、吊りレールに沿って間仕切りライン上を移動できる構成からなる。図示した状態では、間仕切り位置にすでに２枚の間仕切り壁１３，１３がセットされている。この状態で、各間仕切り壁１３の上端と、各間仕切り壁１３に対応した天井側１４のレールの所定位置には、それぞれ一対となる位置検出センサ２０が配備されている。これらの位置検出センサ２０は間仕切り位置で、すべての可動間仕切り壁１３が間仕切りライン上に設置されて、すべての位置検出センサ２０がＯＮとなった段階で、所定間仕切り位置Ｐｉが区画されたとして、区画空間分割データが定義される。なお、図４は間仕切り壁１３の上端と天井面との間に検出部分を設けた例を示したが、間仕切り壁１３の下端と床面との間に検出部分を設けることができることはいうまでもない。
【００３４】
図５各図は、位置検出センサ２０の実施例を示した部分拡大図である。図５（ａ−１）は間仕切り壁１３の移動中、（ａ−２）は間仕切り壁１３が所定位置に設置された状態を示している。図５（ａ−１）に示したように、天井側１４のレール面には球面状の浅い凹所２１が形成されている。この凹所２１には検出接点２２が設けられている。一方、間仕切り壁１３の上端面には筒状の収容部２４内に圧縮バネ２５で突出方向に付勢された凸状係止片２６が取り付けられている。この係止片２６は天井側１４の球面状の浅い凹所２１の形状に相対する球面凸状をなし、間仕切り壁１３の移動時は天井面１４に沿って押圧されて収容部２４内に位置するが、図５（ａ−２）に示したように、間仕切り壁１３が据え付け位置に来ると、天井側の凹所２１に凸状係止片２６がバネ付勢により突出する。そのとき天井側１４の凹所２１内の検出接点２２が間仕切り位置にあることをＯＮ検出する。上述したように、対象となる間仕切り位置で、所定枚数の間仕切り壁１３が設置位置まで移動し、すべての検出接点２２がＯＮとなった条件で、操作制御ユニット１６への信号送出により、操作制御ユニット１６が間仕切り位置を認識できる。なお、この実施例では、検出接点を独立して設けているが、通常、この種の間仕切り壁１３では、間仕切り壁１３を所定位置にセットするために、吊持したレールに間仕切り壁１３を位置保持させるためのアンカー部材（図示せず）が設けられている。このアンカーを構成する部材の一部に検出接点を組み込むことも可能である。
【００３５】
図５（ｂ−１），（ｂ−２）は非接触タイプの位置検出センサを示している。位置検出動作は、図５（ａ−１）と同様であるが、本実施例では無線ＩＣタグ２７を間仕切り壁１３側の上端位置に埋め込みあるいは貼付しておき、設置時の天井側１４の対応位置にＩＣタグリーダ２８を配置している。これにより、リーダ２８側で受信する電波あるいは電磁波により非接触状態でＩＣタグ２７が取り付けられた間仕切り壁１３の位置検出を行うことができる。
【００３６】
次に、本実施例の設備制御システムの利用における概略機能フローについて、図６を参照して説明する。まず、施設管理者あるいは利用者が、あらかじめ登録された利用スケジュール（時間帯、区画）に基づいて可動間仕切り壁１３の移動を行い、所定の区画空間の確保を行う。この作業状況は上述のように、可動間仕切り壁１３の移動が完了したことを間仕切り壁１３の位置検出センサ２０が自動検知し、操作制御ユニット１６に信号が送出される。間仕切り壁１３で区画されることで複数の区画空間が形成されるが、利用対象空間以外の区画空間の設備・機器の操作は利用不可との設定をすることで設備の無断使用が避けられる。利用不可解除は区画空間内の操作リモコンを通じて入出力インターフェースに許可を受ければよい。
【００３７】
間仕切り完了が確認されたら、操作制御ユニット１６は、データサーバ１８内で構築されたデータベースの表３の対応表から区画分割パターンを認識する。そして、その区画分割パターンに応じた表４の操作リモコン設置設備・機器対応表に基づき、各区画空間内で使われる操作リモコンによる制御可能な設備・機器の対応付けを行う。それ以外の区画空間に対しては操作リモコンは制御不可状態となっている。以後、その区画空間を利用する利用者は、操作リモコンとそれに付帯する設備・機器に固有のリモコンとにより、各種設備・機器の操作が可能となる。また、操作リモコンは、対応する設備・機器ごとに用意されてもよいが、７〜１１インチ程度の液晶表示の薄型モバイルタイプとして、画面切換により区画空間内の各種装置・機器をモデル表示して、それぞれの設備、機器に対応した操作タッチパネル画面を用意し、１台の操作リモコンで各種操作を行うこともできる。
【００３８】
以後、区画分割された空間での設定が維持されて利用者の使用が継続される。その後、間仕切りの変更が確認されたら、その変更後の区画分割パターンを認識し、同様の操作リモコンの再設定がなされる。
【００３９】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００４０】
１０  設備制御装置
１３  可動間仕切り壁
１６  操作制御ユニット
１７  入出力インターフェース
１８  データサーバ
２０  位置検出センサ
Ｐｉ  間仕切り位置
Ａｉ  区画空間
Ｌｉ  照明設備
ｓｗｉ  操作スイッチ（操作パネル）
ｓｉｉ  位置センサ
【図１】
2010251983.tif 000007
【図２】
2010251983.tif 000008
【図３】
2010251983.tif 000009
【図４】
2010251983.tif 000010
【図５】
2010251983.tif 000011
【図６】
2010251983.tif 000012